(57)【要約】【課題】無線通信装置ドッキングステーションを提供することを課題とする。【解決手段】本発明は、無線通信装置ドッキングステーションを提供し、この無線通信装置ドッキングステーションは、無線通信装置に適合して使用されるものであり、台座と、受話器と、伝送装置とを備えている。台座は、該無線通信装置と接続するための無線通信装置コネクタを備えている。受話器と台座とが互いに接続される。受話器での通話のために、伝送装置は台座に設けられ、無線通信装置は伝送装置により受話器を選択的に駆動する。受話器で通話している時、同時に無線通信装置を操作することができる。【選択図】図１Ａ
2011109631.tif 000002
【特許請求の範囲】
【請求項１】
無線通信装置の使用に適合するための無線通信装置ドッキングステーションであって、
前記無線通信装置に接続するための無線通信装置コネクタを含む台座と、
前記台座に接続され、通話する時、選択的に同時に前記無線通信装置を操作することができる受話器と、
前記台座に設置された伝送装置であって、前記無線通信装置が前記伝送装置を介して選択的に前記受話器を駆動させて、前記受話器で通話する伝送装置とを、備えたことを特徴とする無線通信装置ドッキングステーション。
【請求項２】
前記台座は、充電装置を更に備え、前記無線通信装置と前記台座とが互いに接続された時、前記台座が前記充電装置を通じて前記無線通信装置を充電することができることを特徴とする請求項１に記載の無線通信装置ドッキングステーション。
【請求項３】
更に前記台座に設置された有線ネットワークインターフェースを備え、前記無線通信装置と前記台座とが互いに接続された時、前記無線通信装置が前記有線ネットワークインターフェースを介してデータを転送するよう切り替わることを特徴とする請求項１に記載の無線通信装置ドッキングステーション。
【請求項４】
更に前記台座、及び、前記受話器の少なくともいずれか一方に設置された出力装置を備えたことを特徴とする請求項１に記載の無線通信装置ドッキングステーション。
【請求項５】
更に前記台座に設置された出力制御装置を備え、前記無線通信装置と前記台座とが互いに接続された時、前記無線通信装置が前記出力制御装置を介して前記出力装置を制御することを特徴とする請求項４に記載の無線通信装置ドッキングステーション。
【請求項６】
前記出力装置は、前記無線通信装置が無線通信信号を受信した時、前記無線通信信号の受信に応答して作動する表示灯を備えたことを特徴とする請求項４に記載の無線通信装置ドッキングステーション。
【請求項７】
前記出力装置は、前記無線通信装置が無線通信信号を受信した時、前記無線通信信号の受信に応答して作動するスピーカを備えたことを特徴とする請求項４に記載の無線通信装置ドッキングステーション。
【請求項８】
前記出力装置は、スピーカを備え、前記スピーカでの通話のために、前記無線通信装置と前記台座とが互いに接続されると共に、無線通信信号を受信又は送信した時、前記無線通信装置が前記伝送装置を介して選択的に前記スピーカを駆動させることを特徴とする請求項４に記載の無線通信装置ドッキングステーション。
【請求項９】
前記出力装置は、音源出力孔を備えたことを特徴とする請求項４に記載の無線通信装置ドッキングステーション。
【請求項１０】
前記台座は更にユニバーサルシリアルバスを含むことを特徴とする請求項１に記載の無線通信装置ドッキングステーション。
【請求項１１】
前記台座は、前記ユニバーサルシリアルバスを通じて給電することを特徴とする請求項１０に記載の無線通信装置ドッキングステーション。
【請求項１２】
前記無線通信装置と前記台座とが互いに接続されると共に、無線通信信号を受信又は送信した時、前記無線通信装置が前記伝送装置を介して選択的に前記ユニバーサルシリアルバスを駆動させ、信号を出力又は入力することを特徴とする請求項１０に記載の無線通信装置ドッキングステーション。
【請求項１３】
前記受話器と前記台座との間は電話線により接続されることを特徴とする請求項１に記載の無線通信装置ドッキングステーション。
【請求項１４】
前記無線通信装置と前記台座とが互いに接続される時、前記無線通信装置を介して前記台座を制御することができることを特徴とする請求項１に記載の無線通信装置ドッキングステーション。
【請求項１５】
前記無線通信装置は表示装置を備えたことを特徴とする請求項１に記載の無線通信装置ドッキングステーション。
【請求項１６】
前記無線通信装置と前記台座とが互いに接続された時、前記表示装置が前記無線通信装置と前記台座との接続に応答して表示することを特徴とする請求項１５に記載の無線通信装置ドッキングステーション。
【請求項１７】
前記表示装置はタッチスクリーンを含み、前記タッチスクリーンを介して前記無線通信装置の作動を制御することができることを特徴とする請求項１５に記載の無線通信装置ドッキングステーション。
【請求項１８】
前記無線通信装置と前記台座とが互いに接続された時、前記タッチスクリーンが前記無線通信装置と前記台座との接続に応答して画面を表示し、前記画面には複数のプッシュボタンを含むことを特徴とする請求項１７に記載の無線通信装置ドッキングステーション。
【請求項１９】
前記操作は非通信モジュールの操作ではないことを特徴とする請求項１に記載の無線通信装置ドッキングステーション。
【請求項２０】
前記操作には電子メールの受信及び発信を含むことを特徴とする請求項１９に記載の無線通信装置ドッキングステーション。
【請求項２１】
前記操作には電話帳の検索を含むことを特徴とする請求項１９に記載の無線通信装置ドッキングステーション。
【請求項２２】
前記操作には機能設定を含むことを特徴とする請求項１９に記載の無線通信装置ドッキングステーション。
【請求項２３】
前記無線通信装置と前記台座とが互いに接続されると共に、無線通信信号を受信又は発信した時、前記無線通信装置が前記伝送装置を介して前記受話器を駆動させることを特徴とする請求項１に記載の無線通信装置ドッキングステーション。
【発明の詳細な説明】
【技術分野】
【０００１】
本発明は、無線通信装置ドッキングステーションに関し、特に、無線通信装置に適合して使用され、無線電話と有線電話の機能を統合するドッキングステーションに関する。
【背景技術】
【０００２】
外観的に益々薄型かつ小型化の傾向或いは機能的に益々多様化されてきたという長所に関わらず、無線電話が世間に現れてから引き続き人々から好まれてきた。このため、簡単に携帯できて機能が揃った携帯電話等の無線通信製品が、非常に短期間で従来の有線電話に代わって普及してきた。
【０００３】
しかしながら、例えば家屋、オフィス等の室内環境では、無線電話に比べ有線電話が持つ固定性、信頼性等の特長により、有線電話が依然幅広く使用されている。特に、企業において普通に使用されている電話交換機及び内線からなる電話システムにおいて、有線電話の形式で個人の事務机或いは会議室の座席に配置された卓上型内線用電話機が依然として好まれている。
【０００４】
このため、無線電話及び有線電話のそれぞれのメリットを持ち、並びに市場の電子製品の機能に対する需要が益々多様化しているという状況において、無線電話及び有線電話の機能を効果的に統合する製品を発表することで、競争の激化した市場需要を満たすことができるかが、通信製品の市場における競争力を増す重要な課題となっている。
【０００５】
その他、一般的な無線電話で、仮に通話と同時に無線電話の他の操作機能を利用したい場合、例えば電話を聞きながら電子メールの送受信を行いたい場合、往々にして電話を聞きながら無線電話のスクリーンを見ることができないなどの制限を受けていたため、別に外付けイヤホン或いはスピーカ等の設備を使用する必要があった。しかしながら、無線電話の一般的な状況ではイヤホンを接続して使用する必要が無く、またスピーカはオフィス等の公開の場所においての使用に適していない。このため、電話を受けながら他の操作機能を行うために、利用者は、往々にして臨時にイヤホンを見つけて接続しなければならず、これは利用者にとって不便である。その他、長くて絡まりやすいイヤホンのコードは往々にして利用者にとって多くのトラブルの元になっていた。
【発明の概要】
【発明が解決しようとする課題】
【０００６】
本発明の目的は、先行技術と比べ、無線電話と有線電話の機能を効果的に統合でき、同時に両者の長所も具備する無線通信装置ドッキングステーションを提供することにある。
本発明の別の目的は、先行技術と比べ、受話器の設計を通じて更に便利に通話しながら無線通信装置の他の機能操作を行うことができる無線通信装置ドッキングステーションを提供することにある。
【課題を解決するための手段】
【０００７】
本発明の無線通信装置ドッキングステーションは、無線通信装置に適合して使用されるものであり、台座と、受話器と、伝送装置とを備えている。台座は、該無線通信装置と接続するための無線通信装置コネクタを備えている。受話器での通話のために、伝送装置は台座に設けられ、無線通信装置は伝送装置により受話器を選択的に駆動する。受話器で通話している時、同時に無線通信装置を操作することができる。
【図面の簡単な説明】
【０００８】
【図１Ａ】本発明の無線通信装置ドッキングステーションの実施形態を示す図である。
【図１Ｂ】図１Ａに示した無線通信装置ドッキングステーションの実施形態の別の角度を示す図である。
【図２Ａ】図１Ａに示した無線通信装置ドッキングステーションの実施形態の台座を示す図である。
【図２Ｂ】図２Ａに示した無線通信装置ドッキングステーションの実施形態の台座の別の角度を示す図である。
【図３】本発明の無線通信装置ドッキングステーションの台座の別の実施形態を示す図である。
【図４】本発明の無線通信装置ドッキングステーションの出力制御装置及び伝送装置の設置ブロック図である。
【発明を実施するための形態】
【０００９】
本発明は、無線通信装置ドッキングステーションを提供し、好ましい実施形態において、本発明の無線通信装置ドッキングステーションは、室内のオフィス、会議室、家屋等の場所に設置できる。
【００１０】
図１Ａ及び図１Ｂを参照しながら説明すると、図１Ａは、本発明の無線通信装置ドッキングステーションの実施形態を示す図である。図１Ｂは、図１Ａで示した無線通信装置ドッキングステーションの実施形態を別の角度で示す図である。図１Ａ及び図１Ｂに示されるように、この無線通信装置ドッキングステーションは、台座１０と、受話器２０と、出力装置３０と、台座１０内に設置された出力制御装置４０（図４）と、伝送装置５０（図４）とを含む。無線通信装置６０は、台座１０に設置されて台座１０と接続される。
【００１１】
図１Ａに示されるように、無線通信装置６０は、表示装置６１を含む。無線通信装置６０は、無線通信の信号を受信又は送信し、電話を掛ける、電話を受ける等の関連の無線通話機能を行うことに用いることで、無線通信装置６０を室外に携行しても使用することができる。また、無線通信装置６０を台座１０に置いて接続した時、無線通信装置６０を通じて台座１０を制御でき、また受話器２０で通話でき、無線通信装置６０を介して一般的な卓上電話機に類似する機能を実現する。好ましい実施形態において、無線通信装置６０はＷｉ−Ｆｉ、Ｗｉ−Ｍａｘ等の無線通信プロトコルの利用または第３世代携帯通信技術（３Ｇ）、第３．９世代移動通信システム（ＬＴＥ）を採用して無線通信を行える携帯電話である。本実施形態において、表示装置６１はタッチスクリーンであり、利用者が表示装置６１へのタッチを通じて無線通信装置６０の作動を制御でき、例えば電話を掛ける、電話を受ける或いは電話帳検索等の他の関連機能を利用する。電話を掛ける機能を利用するために、無線通信装置６０と台座１０とが接続された時、表示装置６１がそれに応答して画面を表示し、例えば表示装置６１に１組の数字キーを表示させ、利用者は表示装置６１を数字キーボードとして使用することができる。その他にも、表示装置に１組のファンクションキーを表示させることができ、利用者に例えば台座１０の状態等の他関連機能の設定便宜を図る。更に、無線通信装置６０と台座１０の間の接続状態もまた表示装置６１を通じて表示することができる。そして、他の実施形態において、無線通信装置６０が異なる構造を具備でき、例えば無線通信装置６０に複数のプッシュボタンを設けた時、複数のプッシュボタンを通じて無線通信装置６０の作動を制御することでき、この場合、表示装置６１は一般的な非タッチスクリーンとすることができる。
【００１２】
一般的な無線通信装置は、通話しながら無線通信装置の他の操作機能を行いたい場合、往々にして外付けイヤホン等の装置の助けが必要となる。本発明の無線通信装置ドッキングステーション内の受話器２０と無線通信装置６０は同様の機能を実現するため、同時に作動できる。言い換えると、利用者が受話器２０で通話する時、同時に無線通信装置６０に対しても操作を行うことができる。このため、利用者は受話器２０で電話を聞きながら、無線通信装置６０に対して電子メールの送受信、電話帳検索及び機能設定等の操作も行うことができる。この他にも、無線通信装置を通じて台座１０を制御、若しくは台座１０を経由して他の外部接続の周辺機器を制御することができる。
【００１３】
図２Ａ及び図２Ｂを参照しながら説明すると、図２Ａは、図１Ａで示された無線通信装置ドッキングステーションの実施形態の台座１０を示す図である。図２Ｂは、図２Ａで示された無線通信装置ドッキングステーションの実施形態の台座１０を別の角度で示す図である。台座１０は、室内のオフィス、会議室、家屋等の場所に設置することができる。台座１０は、一方で無線通信装置６０に１つの相対的な固定した設置スペースを提供でき、別の面では台座１０に置いた無線通信装置６０に充電、信号の伝送等の他の拡張機能を行わせることができる。図２Ａ及び図２Ｂに示すように、台座１０には、無線通信装置置き１１及び受話器置き１２が含まれ、各々無線通信装置６０及び受話器２０を置くのに用いられる。本実施形態において、台座１０に複数のプッシュボタン１３が設けられる。しかしながら、他の実施形態において、例えば図３に示されるように、台座１０にプッシュボタン１３を設置しないこともできる。この場合、台座１０に設置された無線通信装置６０でダイヤル等の機能を働かせることができる。電話を掛ける等の機能を実現するため、複数のプッシュボタン１３を操作して台座１０或いは無線通信装置６０を操作することができる。この他に、本実施形態において、台座１０と図１に示される受話器２０との間は電話線１４を通じて相互に接続される。無線通信装置置き１１内に無線通信装置コネクタ１５が設けられ、無線通信装置６０が無線通信装置置き１１に置かれた時、無線通信装置コネクタ１５と電気的に接続することができ、従って無線通信装置６０が無線通信装置コネクタ１５を通じて台座１０内の出力制御装置４０（図４）及び伝送装置５０（図４）等の装置と相互に接続させることができる。また、他の実施形態において、他の方式で無線通信装置６０及び受話器２０と台座１０を接続させることができ、例えば他の形式の有線接続インターフェース、またはブルートゥース（登録商標）、赤外線等の無線接続インターフェースを用いて接続する。本実施形態において、台座１０は、外部接続電源を利用して給電される。また、他の実施形態において、バッテリー或いは他の方式を使用して給電することができる。
【００１４】
本実施形態において、無線通信信号の受信、送信等の通話に関する機能のほかに、電子メールの送受信、電話帳検索及び機能設定等の機能は、いずれも無線通信装置６０を通じて実現でき、台座１０は通話用のためプッシュボタン１３及び受話器２０を提供すること以外に、１つのインターフェースに類似した装置として無線通信装置６０と出力装置３０等の設備を相互に接続させる。また、他の実施形態において、台座１０は他の機能を具備することができる。
【００１５】
図１Ａ及び図１Ｂに示すように、本実施形態において、出力装置３０には表示灯３１、スピーカ３２及び音源出力孔３３を含む。表示灯３１は受話器２０に設置され、スピーカ３２及び音源出力孔３３も台座１０に設置される。また、他の実施形態において、他の方式で出力装置を設置でき、例えば表示灯３１も台座１０に設置される。音源出力孔３３は可聴周波数信号を出力し、音源出力孔３３は各種可聴周波数信号端子（例えばイヤホンのプラグ或いはＲＣＡ端子）のポートとすることもできる。表示灯３１、スピーカ３２及び音源出力孔３３は状況に応じて組み合わせまたは個別に使用できる。例えば無線通信装置６０が着信を示す無線通信信号を受信した時、表示灯３１及びスピーカ３２にそれぞれライトの点滅及び音を発生させる方法で利用者に気づかせることで、一般的な卓上電話の着信通知のような機能を実現することができる。又、利用者が受話器２０により通話する時、音源出力孔３３を介してスピーカを外付けにすることで、音声を拡大する機能を果たすことができる。
【００１６】
図４を参照しながら説明すると、図４は本発明の無線通信装置ドッキングステーションの出力制御装置及び伝送装置の設置を示すブロック図である。図４に示されるように、無線通信装置６０が台座１０に置かれてから無線通信装置コネクタ１５を通じて制御装置４０と接続する時、無線通信装置６０が出力するため、出力制御装置４０を通じて出力装置３０を制御することができる。例えば無線通信装置６０が着信を示す無線通信信号を受信した時、表示灯３１及びスピーカ３２を利用してそれぞれライトと音声を出力し、着信通知機能を果たすことができる。本実施形態において、出力制御装置４０は出力装置３０の駆動回路であり、異なる出力装置３０に対して需要に応じてそれぞれ駆動する。また、他の実施形態において、出力制御装置４０はチップセット等の他の形式の回路とすることができる。
【００１７】
無線通信装置６０を台座１０に置き、無線通信装置コネクタ１５及び伝送装置５０を介して接続すると共に無線通信信号を受信又は送信する時、無線通信装置６０は伝送装置５０を通じて受話器２０を駆動することで、受話器２０で通話を行う。本実施形態において、伝送装置５０はデジタル−アナログ変換機能を具備するチップセットで、無線通信装置６０及び受話器２０の間においてデジタル−アナログ信号の変換を行う。また、他の実施形態において、伝送装置５０は他の形式の回路とすることができる。その他、本実施形態において、出力制御装置４０及び伝送装置５０は２つの独立した装置である。また、他の実施形態において、両者は同一の装置とすることができる。
【００１８】
その他、本実施形態において、台座１０は、充電装置１６、ユニバーサルシリアルバス１７及び有線ネットワークインターフェース１８を含む。図４に示されるように、無線通信装置６０が台座１０に置かれ、無線通信装置コネクタ１５を通じて充電装置１６と接続される時、台座１０は充電装置１６を介して無線通信装置６０を充電することができる。また、無線通信装置６０が台座１０に置かれ、無線通信装置コネクタ１５を通じて伝送装置５０と接続すると共に無線通信信号を受送信して通話を行う時、無線通信装置６０は伝送装置５０を介してユニバーサルシリアルバス１７を駆動し、信号を出力又は入力する。例えば受話器２０で通話する時、ユニバーサルシリアルバス１７に音声信号を出力させ、この場合ユニバーサルシリアルバス１７を介してスピーカを外付けにして音声拡大機能を実現することができる。本実施形態において、伝送装置５０はユニバーサルシリアルバス制御機能を具備するチップセットとすることができる。また、他の実施形態において、伝送装置５０は他の形式の回路とすることができる。
【００１９】
また、他の実施形態において、台座１０はユニバーサルシリアルバス１７を通じて給電できる。また、データの伝送或いはコンピュータで台座１０等の機能を制御するため、ユニバーサルシリアルバス１７により台座１０とコンピュータ等の設備を接続させることができる。この無線通信装置ドッキングステーションを工場等の環境騒音が比較的大きい場所で使用する時、ユニバーサルシリアルバス１７で出力装置として警告灯を外付けし、無線通信装置が着信を示す無線通信信号を受信した時、その無線通信信号の受信に応答して警告灯が作動し、これにより着信通知機能を実現する。また、他の実施形態において、他の形式のインターフェースで台座１０とコンピュータ等の設備を接続させることができる。
【００２０】
無線通信装置６０を単独で使用する時、Ｗｉ−Ｆｉ、Ｗｉ−Ｍａｘ等の無線通信プロトコル或いは第３世代携帯通信技術（３Ｇ）、第３．９世代移動通信システム（ＬＴＥ）で通話、データ伝送等の関連データ転送機能を行うことができる。図４に示されるように、本実施形態において、有線ネットワークインターフェース１８はイーサネット（登録商標）インターフェースである。また、他の実施形態において、有線ネットワークインターフェース１８は他の形式の有線ネットワークインターフェースとすることができる。無線通信装置６０を台座１０に置き、無線通信装置コネクタ１５を介してイーサネットインターフェース１８と接続する時、無線通信装置６０はイーサネットインターフェース１８を介して有線のイーサネット通信プロトコルによりデータ転送機能のモードに切り替わる。切替機能は、自動または手動設定とすることができる。逆に、無線通信装置６０が台座１０から外された時、無線通信装置６０は元の無線通信プロトコルによりデータ転送機能のモードを切り替えることができる。好ましい実施形態において、本発明の無線通信装置ドッキングステーションは固定網と移動網の収束（ｆｉｘｅｄ−ｍｏｂｉｌｅ ｃｏｎｖｅｒｇｅｎｃe、ＦＭＣ）という概念を利用して、必要性に応じて固定網と移動網を切り替え、これにより有線ネットワークと無線ネットワークの間におけるシームレスローミング効果を達成する。また、他の実施形態において、無線通信装置６０を台座１０に置いた時、無線通信プロトコルを選んでデータ転送機能を行うことができる。
【００２１】
本発明を上記の関連する実施形態により説明したが、上記実施形態は本発明を実施する例を示したのみであり、本発明の範囲はこれら実施形態により何ら限定されるものではない。反対に、特許請求の範囲に含まれる技術的思想および範囲の修正および均等な配置はいずれも本発明の範囲内に含まれるものである。
【符号の説明】
【００２２】
１１…無線通信装置置き、１２…受話器置き、１３…プッシュボタン、１４…電話線、１５…無線通信装置コネクタ、１６…充電装置、１７…ユニバーサルシリアルバス、１８…有線ネットワークインターフェース、２０…受話器、３０…出力装置、３１…表示灯、３２…スピーカ、３３…音源出力孔、４０…出力制御装置、５０…伝送装置、６０…無線通信装置、６１…表示装置。
【図１Ａ】
2011109631.tif 000003
【図１Ｂ】
2011109631.tif 000004
【図２Ａ】
2011109631.tif 000005
【図２Ｂ】
2011109631.tif 000006
【図３】
2011109631.tif 000007
【図４】
2011109631.tif 000008